(57)【要約】 【課題】  油圧シリンダを用いて防水扉を起立させ、油圧シリンダへの圧油がリークしても防水扉の起立状態を維持できる防水扉装置を提供する。【解決手段】  駆動軸２０に支持アーム２２の基部２２ａを一体連結し、前記駆動軸２０には先端を第１油圧シリンダ２３のロッド部２３ａに連結した揺動アーム２４の基部２４ａを固着し、支持アーム２２の先端部２２ｂに形成した長孔２６に挿通した中間軸２７に回動アーム２８の基部２８ａと第２油圧シリンダ２９のロッド部２９ａを夫々連結し、第２油圧シリンダ２９のロッド部２９ａを移動させた後、第１油圧シリンダ２３のロッド部２３ａを移動させることで、防水扉３が水平位置Ａから起立位置Ｃに起立するとともに回動アーム２８が支持アーム２２に対して直線状態となる。【選択図】  図８
2005325621.tif 000002
【特許請求の範囲】
【請求項１】
出入口の床面に埋設されたケースに防水扉を配設し、その防水扉をケースの開口を閉塞する状態から前記出入口を閉塞する状態に起立させるようにした防水扉装置において、ケースの防水扉の先端部側に扉幅方向に平行な駆動軸を回転可能に設け、その駆動軸に支持アームの基部を一体連結して支持アームの先端部が防水扉の基部に向くように設け、駆動軸に先端を第１油圧シリンダのロッド部に連結した揺動アームの基部を固着し、支持アームの先端部に形成された長孔に挿通した中間軸に回動アームの基部を連結して回動アームの先端部が防水扉の先端部に向くように設け、回動アームの先端部を防水扉に枢着し、前記中間軸に支持アームに設置した第２油圧シリンダのロッド部を連結し、そのロッド部を後退させると、中間軸を介して回動アームの基部が支持アームの長孔に沿って移動しながら回動することで防水扉を中間位置に立ち上げ、続けて第１油圧シリンダのロッド部を前進させると、支持アームを介して回動アームの基部が上昇しながら回動することで前記中間位置にあった防水扉を起立させ、回動アームに形成したピン挿入孔と支持アームの長孔との間に安全ピンを挿通して防水扉の起立状態を維持するように構成したことを特徴とする防水扉装置。
【請求項２】
防水扉を起立させるとともに回動アームが支持アームに対して直線状態となるように、回動アームの長さと支持アームの長孔の長手方向長さが夫々設定されていることを特徴とする請求項１記載の防水扉装置。
【発明の詳細な説明】
【技術分野】
【０００１】
本発明は、主に建物や駐車場等の出入口からの浸水を防止する防水扉装置に関する。
【背景技術】
【０００２】
従来、防水扉装置は、建物や駐車場等の出入口の床面に埋設されたケースに防水扉を配設し、その防水扉を手動操作（特許文献１）或いは油圧シリンダ（特許文献２）によってケースの開口を閉塞する状態から前記出入口を閉塞する状態に起立させるものが知られている。また、起立した防水扉の起立状態を維持するために、折りたたみ式のストッパ（特許文献１）や屈折ストッパ（特許文献２）を設けるようになっている。ところが、特許文献１のストッパは、作業者が起立した防水扉を支えながら下部リンクに遊嵌されている筒状体を上方に移動させなければならず、不安定な作業姿勢をとらなければならない。特許文献２では、ストッパの設置中に油圧シリンダへの圧油がリークした場合、起立した防水扉がケースの開口を閉塞する方向に倒れるおそれがある。
【特許文献１】実公昭６２−３９１３１号公報
【特許文献２】実開昭５９−１４４０３３号公報
【発明の開示】
【発明が解決しようとする課題】
【０００３】
本発明では、上記特許文献１、２の技術に鑑み、油圧シリンダを用いて防水扉を起立させ、油圧シリンダへの圧油がリークしても防水扉の起立状態を維持できる防水扉装置を提供することを目的とする。
【課題を解決するための手段】
【０００４】
本願は、出入口の床面に埋設されたケースに防水扉を配設し、その防水扉をケースの開口を閉塞する状態から前記出入口を閉塞する状態に起立させるようにした防水扉装置において、ケースの防水扉の先端部側に扉幅方向に平行な駆動軸を回転可能に設け、その駆動軸に支持アームの基部を一体連結して支持アームの先端部が防水扉の基部に向くように設け、駆動軸に先端を第１油圧シリンダのロッド部に連結した揺動アームの基部を固着し、支持アームの先端部に形成された長孔に挿通した中間軸に回動アームの基部を連結して回動アームの先端部が防水扉の先端部に向くように設け、回動アームの先端部を防水扉に枢着し、前記中間軸に支持アームに設置した第２油圧シリンダのロッド部を連結し、そのロッド部を後退させると、中間軸を介して回動アームの基部が支持アームの長孔に沿って移動しながら回動することで防水扉を中間位置に立ち上げ、続けて第１油圧シリンダのロッド部を前進させると、支持アームを介して回動アームの基部が上昇しながら回動することで前記中間位置にあった防水扉を起立させ、回動アームに形成したピン挿入孔と支持アームの長孔との間に安全ピンを挿通して防水扉の起立状態を維持するように構成したことを特徴とする。具体的には、防水扉を起立させるとともに回動アームが支持アームに対して直線状態となるように、回動アームの長さと支持アームの長孔の長手方向長さが夫々設定されていることを特徴とする。
【発明の効果】
【０００５】
本発明では、支持アームに設置した第２油圧シリンダのロッド部を後退させると、中間軸を介して回動アームの基部が支持アームの長孔に沿って移動しながら回動することで防水扉を中間位置に立ち上げ、続けて第１油圧シリンダのロッド部を前進させると、支持アームを介して回動アームの基部が上昇しながら回動することで前記中間位置にあった防水扉を起立させ、回動アームに形成したピン挿入孔と支持アームの長孔との間に安全ピンを挿通して防水扉の起立状態を維持するように構成したので、防水扉が起立した時に、各油圧シリンダへの圧油がリークしても回動アーム、支持アームにより防水扉の起立状態を維持することができる。
【実施例】
【０００６】
図１に示す防水扉装置１は、建物や駐車場等の出入口の床面Ｆに埋設されたケース２に防水扉３を配設し、その防水扉３をケース２の開口を閉塞する状態（図２の水平位置Ａ）から前記出入口を閉塞する状態（図８の起立位置Ｃ）に起立させるようになっている。また、防水扉３の基部３ａに連結されたヒンジ１０によって、防水扉３を水平位置Ａから起立させる時に、防水扉３の基部３ａをケース２の前板２ａ側の左右に立設されたパッキン部材４付きの扉枠５から離れるように後退させつつ扉枠５に向けて回動させるようになっている。ケース２に沿って縁材６が取り付けられている。ケース２の前板２ａには水平方向にパッキン部材７が取り付けられ、そのパッキン部材７の両端と、前記扉枠５の垂直方向のパッキン部材４下端部と連続させてある。尚、パッキン部材４は、パッキン部材４と対応する防水扉３の基部３ａ側両端部分に形成された切り欠き部を通過し、水平位置Ａにある防水扉３と干渉しないようになっている。ケース２には、図示しない排水管が連結され、その排水管を通ってケース２内に侵入してきた水を排水するようになっている。ケース２の後板２ｂには水平位置Ａにある防水扉３の先端部３ｂを支持する支持材８が取り付けられている。
【０００７】
前記ヒンジ１０について説明する。ケース２の底板２ｃには、前板２ａ側の左、右に夫々固定ベース１１が固定配置されている。各固定ベース１１には当接部材１７で連結された左右一対の可動ベース１２先端が支持軸１３により揺動可能に軸支されている。その可動ベース１２の中間部（支持軸１３より後側位置）には、リンク動作固定部１４ａを備えた第１リンク１４の下端部が回動自在にピン連結されている。可動ベース１２の後端には、前記第１リンク１４長より長く設定してある第２リンク１５の下端部が回動自在にピン連結されている。防水扉３に一体固着する扉取付部材１６に、前記第１，第２リンク１４，１５の他端部が枢着されている。この４節リンク構造のヒンジ１０を防水扉３の基部３ａに連結したことで、防水扉３の先端部３ｂを起立方向へ揺動させると、第１，第２リンク１４，１５のリンク動作によって防水扉３の基部３ａが扉枠５から離れるように後退する。そして、第１リンク１４のリンク動作固定部１４ａが当接部材１７に当接すると、第１，第２リンク１４，１５のリンク動作が固定され、扉枠５から離れるように後退していた防水扉３の基部３ａの動作が停止する。これ以降は、第１，第２リンク１４，１５と共に可動ベース１２が扉枠５に向けて揺動することで、防水扉３の基部３ａが扉枠５に向けて回動されるようになっている。
【０００８】
ケース２の底板２ｃには、後板２ｂ側に扉幅方向に平行な駆動軸２０を備えた第１ブラケット２１が前記ヒンジ１０と対応して固定配置されている。前記駆動軸２０に左右一対の支持アーム２２の基部２２ａを一体連結して各支持アーム２２の先端部２２ｂが防水扉３の基部３ａに向くように設けられている。また、駆動軸２０には先端を第１油圧シリンダ２３のロッド部２３ａに連結した揺動アーム２４の基部２４ａが固着されている。第１油圧シリンダ２３はケース２の底板２ｃに設置された第２ブラケット２５に回動自在に支持されている。前記支持アーム２２の先端部２２ｂには長孔２６が形成されている。その長孔２６に挿通した中間軸２７に回動アーム２８の基部２８ａを一体連結して回動アーム２８の先端部２８ｂが防水扉３の先端部３ｂに向くように設けられている。前記中間軸２７には、支持アーム２２に設置した第２油圧シリンダ２９のロッド部２９ａが回動自在に連結されている。回動アーム２８の基部２８ａ側には支持アーム２２の長孔２６と同径のピン挿入孔３０が形成されている。防水扉３の先端部３ｂ下面には前記駆動軸２０と同方向のピン３１を備えた第３ブラケット３２が突設されている。前記ピン３１を介して回動アーム２８の先端部２８ｂは防水扉３に枢着されている。前記回動アーム２８の長さＰ（ピン３１中心から中間軸２７中心間）と支持アーム２２の長孔２６の長手方向長さＬは、支持アーム２２の先端部２２ｂが駆動軸２０を中心に上方向に４５度移動した時に、回動アーム２８が支持アーム２２に対して直線状態となるように夫々設定されている。尚、本実施形態では回動アーム２８の基部２８ａと中間軸２７とを一体連結し、その中間軸２７に第２油圧シリンダ２９のロッド部２９ａを回動自在に連結してあるが、回動アーム２８の基部２８ａと中間軸２７とを回動自在に連結し、その中間軸２７に第２油圧シリンダ２９のロッド部２９ａを一体連結してもよい。
【０００９】
ケース２の外部には駆動モータ４０により駆動する油圧ポンプ４１が設けられ、その油圧ポンプ４１と第１，第２油圧シリンダ２３，２９とは弁部材４２ａ〜４２ｃを備えた油圧回路４３を介して連結されている。その油圧回路４３は、防水扉３を水平位置Ａから起立位置Ｃに起立させる場合、駆動モータ４０により油圧ポンプ４１を駆動し、第２油圧シリンダ２９のロッド部２９ａをストロークＳ２後退させた後、第１油圧シリンダ２３のロッド部２３ａをストロークＳ１前進させるようになっている。また、防水扉３を起立位置Ｃから水平位置Ａに倒す場合、駆動モータ４０により油圧ポンプ４１を駆動し、第１油圧シリンダ２３のロッド部２３ａをストロークＳ１後退させた後、第２油圧シリンダ２９のロッド部２９ａをストロークＳ２前進させるようになっている。そして、各ロッド部２３ａ，２９ａが所定ストロークＳ１，Ｓ２移動した後、油圧ポンプ４１の停止とともに各ロッド部２３ａ，２９ａの移動位置を維持するようになっている。更に油圧回路４３は、各ロッド部２３ａ，２９ａが所定ストロークＳ１，Ｓ２移動しないと油圧ポンプ４１が停止するようになっている。尚、本実施形態では、第２油圧シリンダ２９のロッド部２９ａのストロークＳ２は支持アーム２２の長孔２６の長手方向長さＬを同一としてある。
【００１０】
次に、上記のように構成された防水扉装置１の作動について説明する。建物や駐車場等の出入口の床面Ｆに設置される防水扉装置１は、通常、防水扉３をケース２の開口を閉塞する状態（水平位置Ａ）としてある。大雨等によって建物や駐車場等の出入口に浸水が生じる恐れが発生した場合には、駆動モータ４０により油圧ポンプ４１を駆動し、油圧回路４３を介して第２油圧シリンダ２９のロッド部２９ａを後退させる。第２油圧シリンダ２９のロッド部２９ａの移動により、中間軸２７を介して回動アーム２８の基部２８ａが支持アーム２２の長孔２６に沿って移動しながら回動することで防水扉３が立ち上がる（図４）。防水扉３の基部３ａは、第１，第２リンク１４，１５のリンク動作により扉枠５から離れるように後退している。その後、ロッド部２９ａがストロークＳ２（長孔２６の長手方向長さＬ）後退するとロッド部２９ａの移動が停止する。その時には、中間軸２７が支持アーム２２の長孔２６の一端に当接すると共に防水扉３が中間位置Ｂに立ち上がっている（図５）。続いて第１油圧シリンダ２３のロッド部２３ａを前進させる。第１油圧シリンダ２３のロッド部２３ａの移動により、揺動アーム２４を介して支持アーム２２の先端部２２ｂが駆動軸２０を中心に上方向に移動する（図６）。そして、回動アーム２８の基部２８ａが中間軸２７を介して上昇しながら回動することで防水扉３が起立方向に移動する。前記扉枠５から離れるように後退していた防水扉３の基部３ａは、第１リンク１４のリンク動作固定部１４ａが当接部材１７に当接したことで、第１，第２リンク１４，１５のリンク動作が固定され扉枠５に向けて回動されるようになる（図７）。
【００１１】
第１油圧シリンダ２３のロッド部２３ａがストロークＳ１前進するとロッド部２３ａの移動が停止する。その時には、中間位置Ｂにあった防水扉３が扉枠５のパッキン部材４、ケース２のパッキン部材７に当接した起立位置Ｃに起立するとともに回動アーム２８が支持アーム２２に対して直線状になっている（図８）。この起立した防水扉３によって出入口を閉塞することで、出入口からの浸水が防止されることになる。そして、回動アーム２８に形成したピン挿入孔３０が支持アーム２２の長孔２６の軸線上にあるので、ピン挿入孔３０と長孔２６との間に安全ピン５０を挿通して回動アーム２８と支持アーム２２との直線状態を保つようになっている。前記安全ピン５０は、通常は防水扉３下面に設置された保持具（図示しない）により保持され、そこから外して利用される。このように、第１，第２油圧シリンダ２３，２９を用いて防水扉３を起立させ、起立した防水扉３を回動アーム２８と支持アーム２２によって支えることで、各油圧シリンダ２３，２９への圧油がリークしても確実に防水扉３の起立状態が維持される。また、従来の筒状体より安価な安全ピン５０により回動アーム２８と支持アーム２２とを棒状体にできる。尚、本実施形態では、防水扉３によって再びケース２の開口を閉塞する場合には、安全ピン５０を回動アーム２８と支持アーム２２から抜き取った後、油圧ポンプ４１を駆動し、上記と逆に作動して防水扉３の先端部３ｂが下方向に移動してケース２の開口が閉塞される。
【図面の簡単な説明】
【００１２】
【図１】本発明の防水扉装置であって、防水扉を省略した図である。
【図２】図１のＩＩ−ＩＩ線断面図である。
【図３】図２のＩＩＩ−ＩＩＩ線断面図である。
【図４】第２油圧シリンダのロッド部を移動させた状態を示す図である。
【図５】図４より更に第２油圧シリンダのロッド部を移動させた状態を示す図である。
【図６】第１油圧シリンダのロッド部を移動させた状態を示す図である。
【図７】図６より更に第１油圧シリンダのロッド部を移動させた状態を示す図である。
【図８】防水扉によって出入口を閉塞した状態を示す図である。
【符号の説明】
【００１３】
１      防水扉装置
２      ケース
３      防水扉
３ａ    基部
３ｂ    先端部
２０    駆動軸
２２    支持アーム
２２ａ  基部
２２ｂ  先端部
２４    揺動アーム
２４ａ  基部
２６    長孔
２７    中間軸
２８    回動アーム
２８ａ  基部
２８ｂ  先端部
２３    第１油圧シリンダ
２３ａ  ロッド部
２９    第２油圧シリンダ
２９ａ  ロッド部
３０    ピン挿入孔
５０    安全ピン
Ｐ      回動アーム長さ
Ｌ      長手方向長さ
Ｂ      中間位置
【図１】
2005325621.tif 000003
【図２】
2005325621.tif 000004
【図３】
2005325621.tif 000005
【図４】
2005325621.tif 000006
【図５】
2005325621.tif 000007
【図６】
2005325621.tif 000008
【図７】
2005325621.tif 000009
【図８】
2005325621.tif 000010